(57)【要約】【課題】設置コストや設置手間の低減を図ることができる保水構造体を提供すること。【解決手段】雨水タンク２０下方に設けた水平樋３０に一旦水を落下させてから、各スパンの上枠材に水を分配することで、各上枠材に水を均等に供給することができ、ブロック材への給水を偏りなく安定的に実施することができる。さらに、水平樋３０において水平受け部３３と供給樋部３２とが二段で配置され、水平受け部３３に一旦溜めた水を溢れさせて供給樋部３２で受けることで、重力の作用だけで水を均等に分配することができ、ポンプや弁などの複雑な配水機構が不要にできる。従って、複雑かつ長距離の導水管等を用いなくても、水を均等に分配することができるので、水の分配給水に係る構造を簡単化することができ、設置コストや設置手間の低減を図ることができる。【選択図】図４
2009197399.tif 000002
【特許請求の範囲】
【請求項１】
並設された複数の保水部材からなる保水手段と、この保水手段の上方に設けられて水を貯留する貯留手段と、この貯留手段からの水を前記保水手段に給水する給水手段とを備えた保水構造体であって、
前記貯留手段の下方には、前記貯留手段からの水を受けて前記給水手段に供給する分配手段が設けられ、この分配手段は、前記貯留手段の下方にて水平に延びて設けられて当該貯留手段からの水を受ける水平受け部と、この水平受け部から溢れた水を前記給水手段に供給する供給部とを備えて構成されている保水構造体。
【請求項２】
前記分配手段の供給部は、前記水平受け部の下方にて水平に延びる供給樋と、この供給樋に沿った複数箇所に設けられた供給口とを有して構成されている請求項１に記載の保水構造体。
【請求項３】
前記給水手段は、前記複数の保水部材の上側に沿って延びる上枠材を有して構成され、この上枠材は、略水平に延びて供給された水を受ける上枠上面部を有し、この上枠上面部における前記各保水部材に対応した位置には、受けた水を下方に落下させる複数の孔が形成されている請求項１または請求項２に記載の保水構造体。
【請求項４】
前記上下に並設される保水部材同士の間には、略水平に延びて前記保水部材を支持する横材が設けられ、この横材は、略水平に延びて上側の保水部材から流れ落ちた水を受ける横材上面部を有し、この横材上面部における前記各保水部材に対応した位置には、受けた水を下方に落下させる複数の孔が形成されている請求項１から請求項３のいずれかに記載の保水構造体。
【請求項５】
前記貯留手段は、それぞれアルミ形材製かつ長尺状の貯留本体部および蓋部を有して構成され、前記貯留本体部は、上方に開口した断面略コ字形に形成されるとともに、当該貯留本体部の内面にアルマイト処理によるコーティングが施されている請求項１から請求項４のいずれかに記載の保水構造体。
【請求項６】
前記複数の保水部材の各々は、所定間隔を介して設けられた複数の支持材と、これらの支持材間に渡って架設される上枠材、下枠材および横材と、前記下枠材と前記横材とに渡る縦材、前記上下の横材同士に渡る縦材、および前記横材と前記上枠材とに渡る縦材と、で囲まれた領域に支持されている請求項１から請求項５のいずれかに記載の保水構造体。
【請求項７】
前記複数の保水部材は、保水性を有した陶器、磁器、せっ器、土器などの焼物で構成されている請求項１から請求項６のいずれかに記載の保水構造体。
【発明の詳細な説明】
【技術分野】
【０００１】
本発明は、保水構造体に関し、詳しくは、複数の保水部材からなる保水手段と、雨水を貯留する貯留手段と、この貯留手段からの水を保水手段に給水する給水手段とを備えた保水構造体に関する。
【背景技術】
【０００２】
従来、保水性を有する外壁と、この外壁に給水する導水系統とを有した壁構造が提案されている（例えば、特許文献１参照）。
特許文献１に記載された壁構造は、建物の屋上に設置したタンクに貯留しておいた雨水や再利用水を、タンクから延びる導水系統を通して保水性外壁に水を供給することで、保水性外壁に保水した水の気化熱によって建物の雰囲気温度を下げるように構成されている。
【０００３】
【特許文献１】特開２００７−４６２８９号公報
【発明の開示】
【発明が解決しようとする課題】
【０００４】
しかしながら、特許文献１に記載された従来の壁構造は、導水系統が複数の縦導水管と、これらの縦導水管から外壁に延びる複数の横導水管と、外壁内部に設けられる第２の横導水管とで構成され、第２の横導水管に設けた給水孔を介して外壁に給水するようになっている。このため、従来の壁構造では、複雑かつ長距離の導水管が必要になってしまい、資材のコストが増大するとともに、設置やメンテナンスにも多くの手間を要するという問題がある。
【０００５】
本発明の目的は、設置コストや設置手間の低減を図ることができる保水構造体を提供することにある。
【課題を解決するための手段】
【０００６】
本発明の保水構造体は、並設された複数の保水部材からなる保水手段と、この保水手段の上方に設けられて水を貯留する貯留手段と、この貯留手段からの水を前記保水手段に給水する給水手段とを備えた保水構造体であって、前記貯留手段の下方には、前記貯留手段からの水を受けて前記給水手段に供給する分配手段が設けられ、この分配手段は、前記貯留手段の下方にて水平に延びて設けられて当該貯留手段からの水を受ける水平受け部と、この水平受け部から溢れた水を前記給水手段に供給する供給部とを備えて構成されていることを特徴とする。
【０００７】
以上の本発明によれば、貯留手段と給水手段との間に分配手段を設け、この分配手段によって給水手段に水を供給することで、この給水手段から個々の保水部材への給水を偏りなく安定的に実施することができる。さらに、水平に延びる水平受け部を有して分配手段が構成されることで、ポンプなどの動力や複雑な配管等を用いなくても、貯留手段からの水を重力の作用だけで均等に分配することができる。従って、複雑かつ長距離の導水管等を用いずに分配手段や給水手段が構成できるので、構造を簡単化することができ、設置コストや設置手間の低減を図ることができる。
【０００８】
この際、本発明の保水構造体では、前記分配手段の供給部は、前記水平受け部の下方にて水平に延びる供給樋と、この供給樋に沿った複数箇所に設けられた供給口とを有して構成されていることが好ましい。
このような構成によれば、水平に延びる水平受け部の下方にて水平に延びる供給樋を有して分配手段の供給部が構成されることで、水をより均等に分配できるとともに、複数の供給口を設けたことで、当該保水構造体の水平距離が長い場合でも、均等に分配した水を各水平位置で給水手段に供給して保水手段に給水することができる。従って、保水構造体の全体において、保水部材ごとの給水量（保水量）のばらつきを低減させることができ、広い範囲で気化熱による雰囲気温度低下の効果が得られる。
【０００９】
また、本発明の保水構造体では、前記給水手段は、前記複数の保水部材の上側に沿って延びる上枠材を有して構成され、この上枠材は、略水平に延びて供給された水を受ける上枠上面部を有し、この上枠上面部における前記各保水部材に対応した位置には、受けた水を下方に落下させる複数の孔が形成されていることが好ましい。
このような構成によれば、上枠材を有して給水手段が構成され、上枠材の上枠上面部が略水平に延びて供給された水を受けるようになっていることで、この上枠上面部においても水を均等化することができる。そして、上枠上面部において各保水部材に対応した位置に設けた孔から水を下方に落下させることで、各保水部材に安定して給水できるとともに、切欠き加工等により容易に形成可能な孔により給水手段の構造も簡単化できる。
【００１０】
さらに、本発明の保水構造体では、前記上下に並設される保水部材同士の間には、略水平に延びて前記保水部材を支持する横材が設けられ、この横材は、略水平に延びて上側の保水部材から流れ落ちた水を受ける横材上面部を有し、この横材上面部における前記各保水部材に対応した位置には、受けた水を下方に落下させる複数の孔が形成されていることが好ましい。
このような構成によれば、上下の保水部材間に横材が設けられ、横材の横材上面部が略水平に延びて流れ落ちてきた水を受けるようになっていることで、この横材上面部においても水を再び均等化して、下側の保水部材に再給水することができる。そして、横材上面部において各保水部材に対応した位置に設けた孔から水を下方に落下させることで、下側の保水部材に安定して給水できるとともに、加工が容易な孔により横材の構造も簡単化できる。また、横材で保水部材を支持することで、保水部材同士を積み上げる構造と比較して、積み上げの精度を向上させて傾き等を防止することができ、均等かつ安定した給水が確保できる。
【００１１】
また、本発明の保水構造体では、前記貯留手段は、それぞれアルミ形材製かつ長尺状の貯留本体部および蓋部を有して構成され、前記貯留本体部は、上方に開口した断面略コ字形に形成されるとともに、当該貯留本体部の内面にアルマイト処理によるコーティングが施されていることが好ましい。
このような構成によれば、それぞれアルミ形材製かつ長尺状の貯留本体部および蓋部で貯留手段を構成したことで、当該保水構造体の上部に沿って貯留手段を設置することができ、貯留手段が目立たずに意匠性を向上させることができる。また、貯留本体部と蓋部とが別体で構成され、貯留本体部が断面略コ字形に形成されることで、その内面にアルマイト処理が施しやすくなり、コーティングの層厚を均一化でき、耐腐食性能を向上させることができる。
【００１２】
また、本発明の保水構造体では、前記複数の保水部材の各々は、所定間隔を介して設けられた複数の支持材と、これらの支持材間に渡って架設される上枠材、下枠材および横材と、前記下枠材と前記横材とに渡る縦材、前記上下の横材同士に渡る縦材、および前記横材と前記上枠材とに渡る縦材と、で囲まれた領域に支持されていることが好ましい。
このような構成によれば、格子状に枠組みされた支持体（横材、下枠材、上枠材および縦材）によって各保水部材が支持されることで、保水部材同士や保水部材と支持体とを、モルタルや接着材などの湿式工法によって固定しなくても壁構造体としての強度が確保でき、湿式工法を不要にして乾式工法で施工できることにより、工期短縮を図って施工性を高めることができる。さらに、保水部材を湿式工法で固定しなくてもよいことから、上枠材や下枠材、横材および縦材を分解することで、壁構造体を容易に解体することができるとともに、解体した各部材を再び組み立てることで壁構造体を再構築することができ、保水部材や支持体の再利用が可能になり、資源の節約を図ることができる。
【００１３】
さらに、本発明の保水構造体では、前記複数の保水部材は、保水性を有した陶器、磁器、せっ器、土器などの焼物で構成されていることが好ましい。
このような構成によれば、多孔質の焼物で保水部材を構成したことで、保水性が高められて気化熱による雰囲気温度低下の効果を向上させることができるとともに、保水部材の再利用の可能性を高めて環境負荷の低減を促進させることができる。
【発明を実施するための最良の形態】
【００１４】
以下、本発明の実施形態を図面に基づいて説明する。
図１は、本発明の実施形態に係る保水構造体である壁構造体１を示す正面図である。図２は、壁構造体１を拡大して示す正面図である。図３は、壁構造体１の上部を示す縦断面図であり、図２に矢視III−III線で示す断面図である。
【００１５】
図１〜図３において、壁構造体１は、地中に埋設された基礎Ｆから立設された複数（本実施形態では、４本）の支持材としての支柱２と、隣り合う一対の支柱２間に渡って架設された上枠材３および下枠材４と、これらの上枠材３および下枠材４間にて支柱２に沿って固定された縦枠材５と、上枠材３、下枠材４および左右の縦枠材５で囲まれた領域に上下左右に並設された複数のブロック材６とを備えて構成されている。これらのブロック材６は、保水性を有した陶器、磁器、せっ器、土器などの焼物製の保水ブロックであり、ブロック材６に水を含ませることで、夏期などにおいて水の気化熱を利用して雰囲気温度を下げることができるようになっている。また、ブロック材６は、全体略直方体状かつ見込み方向に貫通する４つの通気孔６Ａを有して形成され、このブロック材６の上下の見込み面および左右の見込み面には、それぞれ見込み方向に直交して四周連続した溝部としての上溝部６Ｂ、下溝部６Ｃおよび左右の縦溝部６Ｄが形成されている。
【００１６】
上枠材３は、図２に示すように、固定ブラケット３Ａを介して両端部が支柱２に固定され、後述する上枠材本体３Ｂと、この上枠材本体３Ｂの上側を覆って取り付けられる上枠カバー部材３Ｃとを有して構成されている。下枠材４は、固定ブラケット４Ａを介して両端部が支柱２に固定された略矩形状の中空断面を有して形成されている。縦枠材５は、断面略コ字形に形成されるとともに、支柱２の側面にビス止め固定されている。また、上下に並設されるブロック材６間には、隣り合う一対の支柱２間に渡って架設される横材７が設けられ、これらの横材７の両端部は、固定ブラケット７Ａを介して縦枠材５に固定されている。また、左右に並設されるブロック材６間には、下枠材４と横材７とに渡る縦材８、上下の横材７同士に渡る縦材８、および横材７と上枠材３とに渡る縦材８が架設されており、これらの縦材８の上下端部が上枠材３や下枠材４、横材７に固定されている。すなわち、個々のブロック材６は、上枠材３、下枠材４および横材７と、縦枠材５や縦材８とで囲まれて格子状に形成された矩形領域に配置されている。
【００１７】
一方、図１および図３に示すように、左右端部の２本の支柱２間には、屋根１０を支持する主桁材１１が架設されており、この主桁材１１によって屋根１０における屋根面材１２の水下側端縁部が支持されている。この屋根面材１２の左右側端縁部は、側桁１３に支持され、水上側端縁部は、建物の外壁Ｗなどに支持されている。そして、屋根面材１２の水下側端縁部には、屋根面材１２上に降った雨水を集める雨樋１４が設けられており、この雨樋１４には、雨水を集水する集水ドレイン１５と、集水ドレイン１５に接続された蛇腹状の集水管１６とが設けられている。そして、主桁材１１の下方において左右端部の２本の支柱２間には、貯留手段としての雨水タンク２０が架設されており、この雨水タンク２０の下面に中間２本の支柱２上端部が連結されている。また、雨水タンク２０の下方かつ上枠材３の上方には、分配手段としての水平樋３０が設けられており、この水平樋３０は、４本の支柱２の背面側（建物の外壁Ｗ側）において、左右端部の２本の支柱２に渡って連続して設けられている。
【００１８】
以下、図４〜図７も参照して個々のブロック材６へ雨水を供給する構造について詳しく説明する。ここで、図４は、壁構造体１の要部を拡大して示す縦断面図であり、壁構造体１における貯留手段としての雨水タンク２０および分配手段としての水平樋３０を示す縦断面図である。図５は、雨水タンク２０の端部取付構造を示す分解斜視図である。図６は、壁構造体１における給水手段としての上枠材３および保水手段としてのブロック材６を示す縦断面図である。
【００１９】
雨水タンク２０は、アルミ形材製で左右端部の２本の支柱２間に渡って長尺状の貯留本体部としてのタンク本体２１と、このタンク本体２１の上面を覆うアルミ形材製の蓋部２２とを有し、蓋部２２を外すことでタンク本体２１内部の清掃ができるように構成されている。そして、蓋部２２には、集水管１６が接続されており、雨樋１４で集水した雨水が雨水タンク２０に貯留されるようになっている。タンク本体２１の下面には、水平樋３０に水を供給するかまたは供給を遮断するかの開閉を切り換え可能な蛇口２３が、雨水タンク２０全長において１箇所に設けられている。なお、蛇口２３としては、手動で開閉切り換えできるものでもよく、また適宜な制御手段や駆動部によって自動で開閉切り換えできるものでもよい。また、タンク本体２１の建物側側面には、貯留した雨水が所定量を超えた場合に排水するオーバーフロー管２４が設けられ、このオーバーフロー管２４に接続された縦樋２５を介して余分な雨水が排水されるようになっている。この縦樋２５は、４本の支柱のうちの適宜な１本または複数本の支柱２に沿って設けられている。
【００２０】
雨水タンク２０のタンク本体２１は、上方に開口した断面略コ字形に形成されるとともに、その内面にアルマイト処理によるコーティングが設けられている。そして、タンク本体２１の内面には、複数のビスホール２１Ａが形成されており、図５に示すように、ビスホール２１Ａを介してタンク本体２１の両端部に固定板２６が固定されるようになっている。これら固定板２６は、タンク本体２１の側端縁を塞ぐとともに上下に延びて支柱２に固定される外形を有して形成され、タンク本体２１の側端縁との間にシール材２７を介挿した状態で複数のネジ２６Ａによってタンク本体２１に固定される。そして、ネジ２６Ａとは逆向きの４本のボルト２６Ｂによって固定板２６の上下端部が支柱２に固定されることで、タンク本体２１が支柱２間に架設されている。このように、内面にコーティングが施され、かつ側端縁がシール材２７および固定板２６を介して支柱２に固定されることで、タンク本体２１の腐食および漏水が防止できるようになっている。
【００２１】
水平樋３０は、アルミ形材製の一体成形部材であり、支柱２に固定される固定片部３１と、上方に開口した断面略コ字形の供給樋部３２と、この供給樋部３２の内側で上方に開口し蛇口２３の下方に位置する水平受け部３３とを有して形成されている。供給樋部３２の両側端縁には、塞ぎ板３４が設けられており、この塞ぎ板３４は、前記雨水タンク２０におけるタンク本体２１と固定板２６との固定構造と略同様に、シール材を介して供給樋部３２に固定されている。そして、供給樋部３２の下面には、上枠材３に水を供給する供給口としての供給ドレイン３５が、水平樋３０全長において３箇所、つまり４本の支柱２の間（３スパン）ごとに１箇所ずつ設けられている。すなわち、上枠材３は、隣り合う支柱２間に架設され、支柱２を跨いで連続形成されていないため、支柱２の各スパンごとに供給ドレイン３５が設けられることで、それぞれの上枠材３に対して水を供給することができるようになっている。
【００２２】
このような水平樋３０において、供給樋部３２および水平受け部３３は、水平に延びて設けられており、雨水タンク２０の蛇口２３を開いて水が供給された場合、先ず、落下した水を受けた水平受け部３３の内部で水が長手方向に広がるとともに、水平受け部３３から溢れるまで一時的に溜まることとなる。その後、水平受け部３３の長手方向の略全長から略均等に溢れて供給樋部３２に落下することとなる。そして、供給樋部３２で受けた水が３箇所の供給ドレイン３５から流れ落ち、各供給ドレイン３５において均等な水量の水が各スパンの上枠材３に供給されるようになっている。以上のように、水平樋３０を介して雨水タンク２０の水を上枠材３に供給することで、各スパンごとの供給水量のばらつきをなくすことができるようになっている。
【００２３】
次に、給水手段としての上枠材３は、図６に示すように、上枠材本体３Ｂと、上枠カバー部材３Ｃとを有して構成され、上枠カバー部材３Ｃの上面には、上方に開口するとともに適宜な間隔で通水孔（不図示）を有した溝部３Ｄが形成されている。そして、溝部３Ｄには、ゴミ除けネット３Ｅが設けられるとともに、このゴミ除けネット３Ｅの上方に前記供給ドレイン３５の先端部が位置して設けられ、供給ドレイン３５を介して供給される水がゴミ除けネット３Ｅを通して溝部３Ｄに落下し、この水が通水孔を通して上枠材本体３Ｂ上面（上枠上面部）に落下することとなる。この上枠材本体３Ｂの上面部は、略水平に延びて形成され、上枠材本体３Ｂの上面部には、受けた水を下方に落下させる複数の切欠き孔３Ｆが形成されている。これらの切欠き孔３Ｆは、１つのブロック材６に対して４箇所に形成されており、見込み方向の外側に向かって水が流れ落ちるように形成されている。
【００２４】
また、上枠材本体３Ｂの見込み方向外側の側面部３Ｇと、ブロック材６の上面部との間には、隙間３Ｋが形成されており、切欠き孔３Ｆから流れ落ちた水がブロック材６の見付け面６Ｅ側に流れやすくなっている。一方、上枠材本体３Ｂの底面には、ブロック材６の上面部に当接して押圧する一対の止水材３Ｈが設けられており、これらの止水材３Ｈでブロック材６が下方に付勢されることで、ブロック材６が上下に位置決めされるとともに、切欠き孔３Ｆから流れ落ちた水がブロック材６の上溝部６Ｂに流れにくくなっている。さらに、上枠材本体３Ｂの底面には、下方に突出した一対の位置決め片３Ｊが設けられており、これらの位置決め片３Ｊがブロック材６の上溝部６Ｂに挿入されることで、ブロック材６が見込み方向に位置決めされるようになっている。以上のような上枠材本体３Ｂから流れ落ちた水は、最上段のブロック材６に浸透するとともに、このブロック材６に沿って流れ落ち、その一部が横材７の上面部７Ｂ，７Ｃに落下することとなる。
【００２５】
横材７は、図６および図７に示すように、略水平に延びる上面部７Ｂ，７Ｃと、上面部７Ｂ，７Ｃから上方および下方に突出するそれぞれ一対の位置決め片７Ｄ，７Ｅと、上面部７Ｂの見込み方向外側に設けられる側面部７Ｆとを有して形成されている。横材７の上面部７Ｂには、前記上枠材本体３Ｂと略同様に、受けた水を下方に落下させる複数の切欠き孔７Ｇが、１つのブロック材６に対して４箇所に形成されており、これらの切欠き孔７Ｇは、見込み方向の外側に向かって水が流れ落ちるように形成されている。また、横材７の側面部７Ｆと下側のブロック材６の上面部との間には、隙間７Ｋが形成されており、切欠き孔７Ｇから流れ落ちた水がブロック材６の見付け面６Ｅ側に流れやすくなっている。さらに、上面部７Ｃにも適宜な間隔で通水孔７Ｈが形成されており、上面部７Ｃで受けた水を下方に落下させることができるようになっている。
【００２６】
一方、横材７の底面には、下側のブロック材６の上面部に当接して押圧する一対の止水材７Ｊが設けられており、これらの止水材７Ｊでブロック材６が下方に付勢されることで、ブロック材６が上下に位置決めされるとともに、切欠き孔３Ｆから流れ落ちた水がブロック材６の上溝部６Ｂに流れにくくなっている。また、横材７の上側に設けた一対の位置決め片７Ｄが上側のブロック材６の下溝部６Ｃに挿入されることで、上側のブロック材６が見込み方向に位置決めされるようになっている。さらに、横材７の下側に設けた一対の位置決め片７Ｅが下側のブロック材６の上溝部６Ｂに挿入されることで、下側のブロック材６が見込み方向に位置決めされるようになっている。以上のような横材７から流れ落ちた水は、下側のブロック材６に浸透するとともに、このブロック材６に沿って流れ落ち、その一部がさらに下側の横材７の上面部７Ｂ，７Ｃに落下することとなる。このように順次ブロック材６および横材７を介して水が流れ落ちていくことで、上下に並設されたブロック材６に水が浸透し、保水されることとなる。
【００２７】
このような本実施形態によれば、以下のような効果がある。
（１）すなわち、雨水タンク２０下方に設けた水平樋３０に一旦水を落下させてから、各スパンの上枠材３に水を分配することで、各上枠材３に水を均等に供給することができ、各上枠材３からブロック材６への給水を偏りなく安定的に実施することができる。さらに、水平樋３０において水平受け部３３と供給樋部３２とが二段で配置され、水平受け部３３に一旦溜めた水を溢れさせて供給樋部３２で受けることで、重力の作用だけで水を均等に分配することができ、ポンプや弁などの複雑な配水機構が不要にできる。従って、複雑かつ長距離の導水管等を用いなくても、水を均等に分配することができるので、水の分配給水に係る構造を簡単化することができ、設置コストや設置手間の低減を図ることができる。そして、壁構造体１の全体において、ブロック材６ごとの給水量（保水量）のばらつきを低減させることができ、広範囲で気化熱による雰囲気温度低下の効果が得られる。
【００２８】
（２）また、上枠材３の上枠材本体３Ｂ上面が略水平に延びて設けられ、この上面部で水を受けるようになっていることで、この上枠材本体３Ｂにおいても上枠材３の全長に渡って水を均等化することができる。そして、上枠材本体３Ｂに設けた複数の切欠き孔３Ｆから水を下側のブロック材６に落下させることで、各ブロック材６の各部に安定して給水できるとともに、加工が容易な切欠き孔３Ｆにより上枠材３の構造も簡単化できる。このような上枠材本体３Ｂと略同様の構成を有した横材７が上下のブロック材６間に設けられ、この横材７を介して各段のブロック材６に給水することで、壁構造体１全面に渡ってブロック材６への給水の均等化かつ安定化を図ることができる。
【００２９】
（３）また、上枠材３、下枠材４および縦枠材５で囲まれた内部が横材７で上下に複数に仕切られ、下枠材４および各横材７の上側に各段のブロック材６が支持されるとともに、各段における左右のブロック材６間に縦材８が設けられているので、格子状のマス目内部に個々のブロック材６が支持されることとなる。従って、格子状に枠組みされた支持体（下枠材４、上枠材３、横材７および縦材８）によって支持されることで、ブロック材６を確実に支持することができ、壁構造体１としての強度が確保できるとともに、湿式工法を不要にして乾式工法で施工できることにより、工期短縮を図って施工性を高めることができる。
【００３０】
（４）さらに、ブロック材６を湿式工法（モルタルや接着材）で固定しなくてもよいことから、上枠材３や下枠材４、縦枠材５、横材７、縦材８を分解することで、壁構造体１を容易に解体することができるとともに、解体した各部材を再び組み立てることで壁構造体１を再構築することができ、ブロック材６や支持体の再利用が可能になり、資源の節約を図ることができる。また、各段のブロック材６が横材７や上枠材３で見込み方向および上下方向に位置決めされているので、位置決め精度を向上させることができるとともに、位置決め作業が容易になって施工作業の効率をさらに向上させることができる。
【００３１】
（５）また、雨水タンク２０がアルミ形材製かつ長尺状のタンク本体２１と蓋部２２とで構成されているので、壁構造体１の上部において壁面長手方向に沿って雨水タンク２０を設置することができ、雨水タンク２０が目立たずに意匠性を向上させることができる。また、タンク本体２１と蓋部２２とが別体で構成され、タンク本体２１が断面略コ字形に形成されることで、その内面にアルマイト処理が施しやすくなり、コーティングの層厚を均一化でき、耐腐食性能を向上させることができる。さらに、タンク本体２１の側端縁がシール材２７を介して固定板２６で塞がれることで、雨水タンク２０の水密性が向上して漏水を防止することができる。
【００３２】
なお、本発明は、前記実施形態に限定されるものではなく、本発明の目的が達成できる他の構成等を含み、以下に示すような変形等も本発明に含まれる。
例えば、前記実施形態においては、保水構造体として、地面から立設された壁構造体１について説明したが、このような全体壁状の構造体に限らず、本発明の保水構造体としては、建物の外壁面における窓の室外側に設けられる面格子や通風ガラリなどであってもよく、また建物の外周に設けられるフェンスや垣根、門扉などであってもよい。さらに、本発明の保水構造体は、建物の屋根や庇、バルコニー等に設けられてもよく、建物に隣接した庭やテラス等に設けられてもよい。
また、前記実施形態においては、ブロック材６として、保水性を有した陶器、磁器、せっ器、土器などの焼物製の保水ブロックを用いたが、これに限らず、ブロック材としては、コンクリートブロックや煉瓦、樹脂製ブロック、ガラスブロック、木製ブロックなどであってもよい。また、支持材としては、地中の基礎Ｆから立設される支柱２に限らず、コンクリート壁やブロック壁などの壁体であってもよい。さらに、雨水を集水して貯留手段に供給する構成としては、屋根１０に限らず、建物の屋根から樋などを介して貯留手段に雨水を供給してもよく、さらには、生活排水などを浄化した中水などをタンクに貯留しておき、この中水などを貯留手段に供給してもよい。
【００３３】
さらに、前記実施形態では、雨水タンク２０で貯留した水を水平樋３０に供給する蛇口２３を雨水タンク２０の長手方向１箇所に設けたが、蛇口２３は１箇所に限らず、複数箇所に設けてもよい。これと同様に、水平樋３０の供給樋部３２において、供給口としての供給ドレイン３５は、支柱２のスパンごとに１箇所ずつ設けられるものに限らず、複数箇所（例えば、上枠材３の両端部）に設けられていてもよい。
また、上枠材３の上枠材本体３Ｂや横材７の構造（切欠き孔３Ｆ，７Ｇや、止水材３Ｈ，７Ｊ）は、前記実施形態で説明した形態に限らず、適宜な構造が利用可能である。例えば、切欠き孔３Ｆ，７Ｇに代えてスリット孔としてもよく、またパンチングメタルのように小さな孔が比較的密に形成されていてもよい。また、止水材３Ｈ，７Ｊに代えてスポンジ等の弾性部材を用いてもよいし、上枠材本体３Ｂや横材７と別体かつ移動可能に設けた押圧部材を用いてもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る保水構造体を示す正面図である。
【図２】前記保水構造体を拡大して示す正面図である。
【図３】前記保水構造体の上部を示す縦断面図である。
【図４】前記保水構造体の貯留手段および分配手段を示す縦断面図である。
【図５】前記保水構造体における貯留手段を示す分解斜視図である。
【図６】前記保水構造体の給水手段および保水手段を示す縦断面図である。
【図７】前記保水構造体における横材を示す斜視図である。
【符号の説明】
【００３６】
１…壁構造体、２…支柱（支持材）、３…上枠材（給水手段）、３Ｆ…切欠き孔、４…下枠材、５…縦枠材、６…ブロック材（保水手段）、７…横材、７Ｂ…上面部、７Ｇ…切欠き孔、８…縦材、２０…雨水タンク（貯留手段）、２１…タンク本体（貯留本体部）、２２…蓋部、３０…水平樋（分配手段）、３２…供給樋部（供給樋）、３３…水平受け部、３５…供給ドレイン（供給口）。
【図１】
2009197399.tif 000003
【図２】
2009197399.tif 000004
【図３】
2009197399.tif 000005
【図４】
2009197399.tif 000006
【図５】
2009197399.tif 000007
【図６】
2009197399.tif 000008
【図７】
2009197399.tif 000009